(57)【要約】【課題】本発明は、従来にない商品価値の高い画期的な薬液注入器並びに薬液注入器に付設する薬液吐出量増大防止具を提供することを目的とする。【解決手段】先端に注射針１が設けられ薬液Ｍを収納する薬液収納部２ａを具備した筒状本体部２に、前記薬液Ｍを前記筒状本体部２から押し出す薬液押出し部３が設けられ、この薬液押出し部３は前記筒状本体部２に設けられた押し込み操作部４により押し込まれることで可動して前記薬液Ｍを押し出すように構成されており、また、前記筒状本体部２には軸回転自在の回転部６が設けられ、この回転部６の一方向への軸回転量により前記薬液押出し部３の可動量が設定されるように構成され、更に、前記回転部６の前記一方向への軸回転量は、前記筒状本体部２に設けた軸回転制限部10により制限されるように構成されたものである。【選択図】図６
2018201860.tif 000002
【特許請求の範囲】
【請求項１】
先端に注射針が設けられ薬液を収納する薬液収納部を具備した筒状本体部に、前記薬液を前記筒状本体部から押し出す薬液押出し部が設けられ、この薬液押出し部は前記筒状本体部に設けられた押し込み操作部により押し込まれることで可動して前記薬液を押し出すように構成されており、また、前記筒状本体部には軸回転自在の回転部が設けられ、この回転部の一方向への軸回転量により前記薬液押出し部の可動量が設定されるように構成され、更に、前記回転部の前記一方向への軸回転量は、前記筒状本体部に設けた軸回転制限部により制限されるように構成されていることを特徴とする薬液注入器。
【請求項２】
請求項１記載の薬液注入器において、前記軸回転制限部は、前記回転部に設けられる係止部と、前記筒状本体部に設けられる被係止部とから成り、前記回転部を回転位置Ｐ１から回転位置Ｐ２まで一方向へ回転させた際、前記被係止部に前記係止部が係止して前記回転部の一方向への軸回転が制限されるように構成されていることを特徴とする薬液注入器。
【請求項３】
請求項１記載の薬液注入器において、前記回転部は、前記筒状本体部に対して軸回転しながら該筒状本体部の長さ方向に移動する螺旋移動部材に設けられており、また、前記軸回転制限部は、前記回転部に設けられる係止部と、前記筒状本体部に設けられる被係止部とから成り、前記回転部を回転位置Ｐ３から回転位置Ｐ４まで一方向へ回転させ該回転部が前記筒状本体部に対して所定の突出位置に位置した際、前記被係止部に前記係止部が係止して前記回転部の一方向への軸回転が制限されるように構成されていることを特徴とする薬液注入器。
【請求項４】
請求項３記載の薬液注入器において、前記係止部には凹部が設けられ、この凹部により前記回転位置Ｐ４まで前記被係止部に前記係止部が係止せず前記回転部の一方向への軸回転が制限されないように構成されていることを特徴とする薬液注入器。
【請求項５】
請求項２〜４いずれか１項に記載の薬液注入器において、前記係止部は前記回転部に着脱自在に設けられ、前記被係止部は前記筒状本体部に着脱自在に設けられていることを特徴とする薬液注入器。
【請求項６】
請求項２〜５いずれか１項に記載の薬液注入器において、前記係止部と前記被係止部との係止は、両者の当接であることを特徴とする薬液注入器。
【請求項７】
請求項２〜６いずれか１項に記載の薬液注入器において、前記被係止部は、前記筒状本体に設けられる第二部材の周方向任意の位置に移動自在に設けられ、前記係止部が係止する位置が可変自在に構成されていることを特徴とする薬液注入器。
【請求項８】
先端に注射針が設けられ薬液を収納する薬液収納部を具備した筒状本体部に、前記薬液を前記筒状本体部から押し出す薬液押出し部が設けられ、この薬液押出し部は前記筒状本体部に設けられた押し込み操作部により押し込まれることで可動して前記薬液を押し出すように構成されており、また、前記筒状本体部には軸回転自在の回転部が設けられ、この回転部の一方向への軸回転量により前記薬液押出し部の可動量が設定されるように構成された薬液注入器に付設する薬液吐出量増大防止具であって、前記回転部に着脱自在に設けられる第一部材と前記筒状本体に着脱自在に設けられる第二部材とから成り、前記第一部材には係止部が設けられ、一方、前記第二部材には被係止部が設けられ、前記回転部を回転位置Ｐ１から回転位置Ｐ２まで一方向に軸回転させて際、前記被係止部に前記係止部が係止して前記回転部の一方向への軸回転が制限されるように構成されていることを特徴とする薬液注入器に付設する薬液吐出量増大防止具。
【請求項９】
先端に注射針が設けられ薬液を収納する薬液収納部を具備した筒状本体部に、前記薬液を前記筒状本体部から押し出す薬液押出し部が設けられ、この薬液押出し部は前記筒状本体部に設けられた押し込み操作部により押し込まれることで可動して前記薬液を押し出すように構成されており、また、前記筒状本体部には軸回転自在の回転部が設けられ、この回転部の一方向への軸回転量により前記薬液押出し部の可動量が設定されるように構成され、前記回転部は、前記筒状本体部に対して軸回転しながら該筒状本体部の長さ方向に移動する螺旋移動部材に設けられており、また、前記軸回転制限部は、前記回転部に設けられる係止部と、前記筒状本体部に設けられる被係止部とから成り、前記回転部を回転位置Ｐ３から回転位置Ｐ４まで一方向へ回転させ該回転部が前記筒状本体部に対して所定の突出位置に位置した際、前記被係止部に前記係止部が係止して前記回転部の一方向への軸回転が制限されるように構成された薬液注入器に付設する薬液吐出量増大防止具であって、前記回転部に着脱自在に設けられる第一部材と前記筒状本体に着脱自在に設けられる第二部材とから成り、前記第一部材には係止部が設けられ、一方、前記第二部材には被係止部が設けられ、前記回転部を回転位置Ｐ３から回転位置Ｐ４まで一方向へ回転させ該回転部が前記筒状本体部に対して所定の突出位置に位置した際、前記被係止部に前記係止部が係止して前記回転部の一方向への軸回転が制限されるように構成され、更に、前記係止部には凹部が設けられ、この凹部により前記回転位置Ｐ４まで前記被係止部に前記係止部が係止せず前記回転部の一方向への軸回転が制限されないように構成されていることを特徴とする薬液注入器に付設する薬液吐出量増大防止具。
【請求項１０】
請求項８，９いずれか１項に記載の薬液注入器に付設する薬液吐出量増大防止具において、前記係止部と前記被係止部との係止は、両者の当接であることを特徴とする薬液注入器に付設する薬液吐出量増大防止具。
【請求項１１】
請求項８〜１０いずれか１項に記載の薬液注入器に付設する薬液吐出量増大防止具において、前記被係止部は、前記第二部材の周方向任意の位置に移動自在に設けられ、前記係止部が係止する位置が可変自在に構成されていることを特徴とする薬液注入器に付設する薬液吐出量増大防止具。
【発明の詳細な説明】
【技術分野】
【０００１】
本発明は、薬液注入器並びに薬液注入器に付設する薬液吐出量増大防止具に関するものである。
【背景技術】
【０００２】
従来から、糖尿病患者が薬液（インスリン）を摂取するための薬液注入器として、例えば特表２０１３−５４３７５１号に開示されるような薬液注入器（以下、従来例）が提案されている。
【０００３】
この従来例は、図１に図示したように先端に注射針１が設けられインスリンＭを収納する薬液収納部２ａを具備した筒状本体部２に、インスリンＭを筒状本体部２から押し出す薬液押出し部３が設けられ、この薬液押出し部３は筒状本体部２に設けられた押し込み操作部４により押し込まれることで可動してインスリンＭを押し出すように構成されており、また、筒状本体部２には軸回転自在の回転部６が設けられ、この回転部６の一方向への軸回転量により薬液押出し部３の可動量が設定されるように構成されたものである。
【０００４】
従って、回転部６を回転してインスリンＭの吐出量を設定し、注射針１を身体の腹部や臀部などの決められた位置に刺し、この状態で押し込み操作部４を押し込むと、注射針１から設定量のインスリンＭが吐出され、体内に摂取されることになる。
【先行技術文献】
【特許文献】
【０００５】
【特許文献１】特表２０１３−５４３７５１号公報
【発明の概要】
【発明が解決しようとする課題】
【０００６】
ところで、このインスリンＭの摂取は、医師から指示された摂取量を患者自らの手で従来例を用いて打つ場合が多いが、このインスリンＭを摂取しようとする際、インスリンＭの吐出量の設定を誤ってしまう、即ち、回転部６を多く回し過ぎてインスリンＭの吐出量を多く設定してしまう場合がある（例えば認知症を患っている人であればこの誤操作の可能性が高くなる。）。
【０００７】
本発明は、前述した問題点を解消する、従来にない商品価値の高い画期的な薬液注入器並びに薬液注入器に付設する薬液吐出量増大防止具を提供する。
【課題を解決するための手段】
【０００８】
添付図面を参照して本発明の要旨を説明する。
【０００９】
先端に注射針１が設けられ薬液Ｍを収納する薬液収納部２ａを具備した筒状本体部２に、前記薬液Ｍを前記筒状本体部２から押し出す薬液押出し部３が設けられ、この薬液押出し部３は前記筒状本体部２に設けられた押し込み操作部４により押し込まれることで可動して前記薬液Ｍを押し出すように構成されており、また、前記筒状本体部２には軸回転自在の回転部６が設けられ、この回転部６の一方向への軸回転量により前記薬液押出し部３の可動量が設定されるように構成され、更に、前記回転部６の前記一方向への軸回転量は、前記筒状本体部２に設けた軸回転制限部10により制限されるように構成されていることを特徴とする薬液注入器に係るものである。
【００１０】
また、請求項１記載の薬液注入器において、前記軸回転制限部10は、前記回転部６に設けられる係止部７ａと、前記筒状本体部２に設けられる被係止部８ａとから成り、前記回転部６を回転位置Ｐ１から回転位置Ｐ２まで一方向へ回転させた際、前記被係止部８ａに前記係止部７ａが係止して前記回転部６の一方向への軸回転が制限されるように構成されていることを特徴とする薬液注入器に係るものである。
【００１１】
また、請求項１記載の薬液注入器において、前記回転部６は、前記筒状本体部２に対して軸回転しながら該筒状本体部２の長さ方向に移動する螺旋移動部材11に設けられており、また、前記軸回転制限部10は、前記回転部６に設けられる係止部７ａと、前記筒状本体部２に設けられる被係止部８ａとから成り、前記回転部６を回転位置Ｐ３から回転位置Ｐ４まで一方向へ回転させ該回転部６が前記筒状本体部２に対して所定の突出位置に位置した際、前記被係止部８ａに前記係止部７ａが係止して前記回転部６の一方向への軸回転が制限されるように構成されていることを特徴とする薬液注入器に係るものである。
【００１２】
また、請求項３記載の薬液注入器において、前記係止部７ａには凹部７ｂが設けられ、この凹部７ｂにより前記回転位置Ｐ４まで前記被係止部８ａに前記係止部７ａが係止せず前記回転部６の一方向への軸回転が制限されないように構成されていることを特徴とする薬液注入器に係るものである。
【００１３】
また、請求項２〜４いずれか１項に記載の薬液注入器において、前記係止部７ａは前記回転部６に着脱自在に設けられ、前記被係止部８ａは前記筒状本体部２に着脱自在に設けられていることを特徴とする薬液注入器に係るものである。
【００１４】
また、請求項２〜５いずれか１項に記載の薬液注入器において、前記係止部７ａと前記被係止部８ａとの係止は、両者の当接であることを特徴とする薬液注入器に係るものである。
【００１５】
また、請求項２〜６いずれか１項に記載の薬液注入器において、前記被係止部８ａは、前記筒状本体２に設けられる第二部材８の周方向任意の位置に移動自在に設けられ、前記係止部７ａが係止する位置が可変自在に構成されていることを特徴とする薬液注入器に係るものである。
【００１６】
また、先端に注射針１が設けられ薬液Ｍを収納する薬液収納部２ａを具備した筒状本体部２に、前記薬液Ｍを前記筒状本体部２から押し出す薬液押出し部３が設けられ、この薬液押出し部３は前記筒状本体部２に設けられた押し込み操作部４により押し込まれることで可動して前記薬液Ｍを押し出すように構成されており、また、前記筒状本体部２には軸回転自在の回転部６が設けられ、この回転部６の一方向への軸回転量により前記薬液押出し部３の可動量が設定されるように構成された薬液注入器に付設する薬液吐出量増大防止具であって、前記回転部６に着脱自在に設けられる第一部材７と前記筒状本体２に着脱自在に設けられる第二部材８とから成り、前記第一部材７には係止部７ａが設けられ、一方、前記第二部材８には被係止部８ａが設けられ、前記回転部６を回転位置Ｐ１から回転位置Ｐ２まで一方向に軸回転させて際、前記被係止部８ａに前記係止部７ａが係止して前記回転部６の一方向への軸回転が制限されるように構成されていることを特徴とする薬液注入器に付設する薬液吐出量増大防止具に係るものである。
【００１７】
また、先端に注射針１が設けられ薬液Ｍを収納する薬液収納部２ａを具備した筒状本体部２に、前記薬液Ｍを前記筒状本体部２から押し出す薬液押出し部３が設けられ、この薬液押出し部３は前記筒状本体部２に設けられた押し込み操作部４により押し込まれることで可動して前記薬液Ｍを押し出すように構成されており、また、前記筒状本体部２には軸回転自在の回転部６が設けられ、この回転部６の一方向への軸回転量により前記薬液押出し部３の可動量が設定されるように構成され、前記回転部６は、前記筒状本体部２に対して軸回転しながら該筒状本体部２の長さ方向に移動する螺旋移動部材11に設けられており、また、前記軸回転制限部10は、前記回転部６に設けられる係止部７ａと、前記筒状本体部２に設けられる被係止部８ａとから成り、前記回転部６を回転位置Ｐ３から回転位置Ｐ４まで一方向へ回転させ該回転部６が前記筒状本体部２に対して所定の突出位置に位置した際、前記被係止部８ａに前記係止部７ａが係止して前記回転部６の一方向への軸回転が制限されるように構成された薬液注入器に付設する薬液吐出量増大防止具であって、前記回転部６に着脱自在に設けられる第一部材７と前記筒状本体２に着脱自在に設けられる第二部材８とから成り、前記第一部材７には係止部７ａが設けられ、一方、前記第二部材８には被係止部８ａが設けられ、前記回転部６を回転位置Ｐ３から回転位置Ｐ４まで一方向へ回転させ該回転部６が前記筒状本体部２に対して所定の突出位置に位置した際、前記被係止部８ａに前記係止部７ａが係止して前記回転部６の一方向への軸回転が制限されるように構成され、更に、前記係止部７ａには凹部７ｂが設けられ、この凹部７ｂにより前記回転位置Ｐ４まで前記被係止部８ａに前記係止部７ａが係止せず前記回転部６の一方向への軸回転が制限されないように構成されていることを特徴とする薬液注入器に付設する薬液吐出量増大防止具に係るものである。
【００１８】
また、請求項８，９いずれか１項に記載の薬液注入器に付設する薬液吐出量増大防止具において、前記係止部７ａと前記被係止部８ａとの係止は、両者の当接であることを特徴とする薬液注入器に付設する薬液吐出量増大防止具に係るものである。
【００１９】
また、請求項８〜１０いずれか１項に記載の薬液注入器に付設する薬液吐出量増大防止具において、前記被係止部８ａは、前記第二部材８の周方向任意の位置に移動自在に設けられ、前記係止部７ａが係止する位置が可変自在に構成されていることを特徴とする薬液注入器に付設する薬液吐出量増大防止具に係るものである。
【発明の効果】
【００２０】
本発明は上述のように構成したから、注射針から吐出される薬液の吐出量が必要以上の吐出量に設定されることを防止することができ、しかも、簡易構造故にコスト安にして量産性に秀れるなど、従来にない商品価値の高い画期的な薬液注入器となる。
【図面の簡単な説明】
【００２１】
【図１】薬液注入器の斜視図である。
【図２】薬液注入器の要部の説明断面図である。
【図３】図２のＡ−Ａ断面図である。
【図４】薬液注入器の要部の概略動作説明断面図である。
【図５】薬液注入器の要部の概略動作説明断面図である。
【図６】実施例１の分解斜視図である。
【図７】実施例１の説明断面図である。
【図８】実施例１の説明断面図である。
【図９】実施例１の説明断面図である。
【図１０】実施例１の別例の説明図である。
【図１１】実施例１の別例の説明図である。
【図１２】実施例１の別例の説明図である。
【図１３】実施例１の別例の説明図である。
【図１４】実施例１の別例の説明図である。
【図１５】実施例１の別例の説明図である。
【図１６】実施例１の別例の説明図である。
【図１７】実施例１の別例の説明図である。
【図１８】実施例２の分解斜視図である。
【図１９】実施例２の説明断面図である。
【図２０】実施例２の説明断面図である。
【図２１】実施例２の説明断面図である。
【発明を実施するための形態】
【００２２】
好適と考える本発明の実施形態を、図面に基づいて本発明の作用を示して簡単に説明する。
【００２３】
注射針１からの薬液Ｍの吐出量は、筒状本体部２に軸回転自在に設けられる回転部６を一方向へ軸回転させることで設定される薬液押出し部３の可動量で決まり、また、回転部６の一方向への軸回転量は、軸回転制限部10により制限される。
【００２４】
この回転部６の軸回転量が制限される位置を、予め薬液Ｍを吐出させたい量となる位置としておくことで、常に同じ位置で回転部６を停止させて注射針１から吐出させたい量の薬液Ｍが吐出されるよう設定することができ、確実に設定された吐出量の薬液Ｍを吐出させることができる。
【実施例１】
【００２５】
本発明の具体的な実施例１について図面に基づいて説明する。
【００２６】
本実施例は、薬液を摂取するための薬液注入器Ｘ（所謂医療用注射器）である。
【００２７】
尚、本実施例は、薬液Ｍとしてのインスリンを摂取するための薬液注入器Ｘを対象としているが、本実施例の構成を発揮し得るものであれば適宜採用し得るものである。
【００２８】
以下、本実施例に係る薬液注入器Ｘについて説明する。
【００２９】
薬液注入器Ｘは、図１に図示したように先端に注射針１が設けられ薬液Ｍを収納する薬液収納部２ａを具備した筒状本体部２に、薬液Ｍを筒状本体部２から押し出す薬液押出し部３が設けられ、この薬液押出し部３は筒状本体部２に設けられた押し込み操作部４により押し込まれることで可動して薬液Ｍを押し出すように構成されており、また、筒状本体部２には軸回転自在の回転部６が設けられ、この回転部６の一方向への軸回転量により薬液押出し部３の可動量が設定されるように構成された公知構造のものである。
【００３０】
筒状本体部２は、図１，２に図示したように第一円筒体２’と、この第一円筒体２’の基端部に連設される第二円筒体２”とで構成されている。
【００３１】
第一円筒体２’には、所定量の薬液Ｍが収納される筒状の薬液収納部２ａが設けられ、この薬液収納部２ａ内には後述する薬液押出し部３が摺動自在に設けられており、この薬液収納部２ａの基端側に位置する薬液押出し部３を先端側に摺動させることで薬液Ｍを先端側に押し出すように構成されている。
【００３２】
また、第一円筒体２’の先端部には注射針１が設けられている。
【００３３】
本実施例では、注射針１は第一円筒体２’とは別体で設けられ、第一円筒体２’の先端部に装着可能に設けられており、第一円筒体２’の先端部に注射針１を装着した際、この注射針１と液体収納部２ａとは通液状態で連設される。
【００３４】
従って、この第一円筒体２’に注射針１を装着した状態において、薬液押出し部３を先端側に摺動させると、この摺動させた分だけ注射針１から薬液Ｍが吐出される。尚、注射針１は筒状本体部２と一体構造でも良い。
【００３５】
第二筒体２”は、その内面基端部位に該第二筒体２”の長さ方向に一本の螺旋凸条２ｂが設けられ、この螺旋凸条２ｂは後述する螺旋移動部材11の螺旋凹条11ａと螺合するように構成されている。
【００３６】
また、第二筒体２”の周面所定位置には孔２ｃが設けられており、螺旋移動部材11の周面に設けられたメモリ11ｂを表示する表示窓２ｃとして構成されている。
【００３７】
また、筒状本体部２には、図２に図示したように薬液Ｍを押し出す薬液押出し部３と、この薬液押出し部３を押し込み操作し得る押し込み操作部４が設けられている。
【００３８】
薬液押出し部３は、第二筒体２”の先端部に設けられる螺子孔部２ｄに螺着される螺子軸部３ｂの先端部にゴム部材３ａを設けて構成されている。
【００３９】
また、螺子軸部３ｂには、後述する第一環状部16の凸部16ａが摺動自在に係合する一対の凹条３ｂ’が設けられている（図３参照）。
【００４０】
また、押し込み操作部４は、第一筒状部12の基端部に設けられる押し込みボタンであり、第一筒状部12が連設する第二筒状部13及び第一環状部16を介して螺子軸部３ｂに連設されている。
【００４１】
また、筒状本体部２には軸回転自在の回転部６が設けられ、この回転部６の一方向への軸回転量により薬液押出し部３の可動量が設定されるように構成されている。
【００４２】
具体的には、第二筒体２”の内側に相対軸回転自在に嵌挿される筒状の螺旋移動部材11と、この螺旋移動部材11の内側に相対軸回転自在に嵌挿される第一筒状部12と、この第一筒状部12の内側に相対軸回転不能に嵌挿される第二筒状部13とを有する。
【００４３】
螺旋移動部材11は、外周面に前述した第二筒体２”の螺旋凸条２ｂに螺合する螺旋凹条11ａが設けられており、また、基端部には環状の回転部６が設けられている。
【００４４】
従って、螺旋移動部材11は、回転部６を正逆方向に軸回転させることで第二筒体２”（
状本体部２）に対して軸回転しながら該第二筒体２”の長さ方向に移動（螺旋移動）することになる。
【００４５】
また、螺旋移動部材11は、周面に数字から成るメモリ11ｂが設けられており、このメモリ11ｂは薬液Ｍの吐出量（薬液押出し部３の移動量）を表示するものであり、各数字が螺旋状に並設されている。
【００４６】
第一筒状部12は、基端部に押し込み操作部４が設けられ、また、第一筒状部12の内面長さ方向には後述する第二筒状部13の凸条13ａに相対スライド自在に係合する一対の凹条（図示省略）が設けられている。
【００４７】
また、この第一筒状部12の基端部と螺旋移動部材11の基端部との間には第一ラチェット部14が設けられており、一方向（右軸回転方向）の相対軸回転を係合制限し、他方向（左軸回転方向）のみ相対軸回転を許容する。
【００４８】
また、第一筒状部12の先端部と螺旋移動部材11の先端部との間には、該螺旋移動部材11を基端側へ付勢する付勢部材15（コイルバネ）が設けられている。
【００４９】
従って、この付勢部材15の付勢により第一ラチェット部14が圧接するように構成されている。
【００５０】
第二筒状部13は、周面長さ方向に一対の凸条13ａが設けられ、この凸条13ａに第一筒状部12の凹条が摺動することで第二筒状部13の長さ方向に第一筒状部12はスライド移動自在となる。
【００５１】
また、第二筒状部13は、第二筒体２”の軸受孔部２ｅで相対軸回転自在に設けられており、また、第二筒状部13の基端部は螺子軸部３ｂに被嵌する第一環状部16に第二ラチェット部17を介して連設されている。
【００５２】
この第二ラチェット部17は、一方向（右軸回転方向）のみ相対軸回転を許容し、他方向（左軸回転方向）の相対軸回転を係合制限する。
【００５３】
第一環状部16は、螺子軸部３ｂに被嵌状態に設けられ、螺子軸部３ｂに設けられた凹条３ｂ’に摺動自在に係合する一対の凸部16ａが設けられている。
【００５４】
また、第一環状部16の先端側には第二環状部18が設けられている。
【００５５】
この第二管状部材は、螺子軸部３ｂに被嵌状態に設けられるとともに、筒状本体部２（第二円筒体２”）の長さ方向にスライド自在に設けられ、第一環状部16と第三ラチェット部19を介して連設されている。
【００５６】
この第三ラチェット部19は、前述した第一ラチェット部14と同様、一方向（右軸回転方向）の相対軸回転を係合制限し、他方向（左軸回転方向）のみ相対軸回転を許容する。
【００５７】
但し、この第三ラチェット部19は、回転部６を左軸回転方向へ回転させた際、第一ラチェット部14が優先的に機能する（第一筒状部12が左軸回転しないようにする）ように構成されている。
【００５８】
また、第二環状部18の先端側には付勢部材20が設けられている。
【００５９】
従って、この付勢部材18の付勢により第二ラチェット部17及び第三ラチェット部19が圧接するように構成されている。
【００６０】
以上の構成から成る薬液注入器Ｘの作動について説明する。
【００６１】
薬液Ｍの吐出量を設定する際、回転部６を表示窓２ｃから見えるメモリ11ｂ分だけ一方向（右軸回転方向）に軸回転させると、螺旋移動部11，第一筒状部12及び第二筒状部13が一方向（右軸回転方向）に軸回転するとともに、螺旋移動部11及び第一筒状部12は基端側へ筒状本体部２から突出移動して螺旋移動する（図４参照）。この際、第一環状部16は第二環状部18と第三ラチェット部19で係合しており軸回転が制限されている。
【００６２】
続いて、押し込み操作部４を押し込むと、螺旋移動部11，第一筒状部12及び第二筒状部13が他方向（左軸回転方向）に軸回転するとともに、螺旋移動部11及び第一筒状部12は先端側へ筒状本体部２から突出移動した分だけ螺旋移動する（図５参照）。この際、第二ラチェット部17の係合により第二筒状部13と共に第一環状部16は他方向（左軸回転方向）に軸回転し、この第一環状部16の軸回転により螺子軸部３ｂも軸回転することで先端側へ移動し、薬液押出し部３が先端側へ移動して注射針１から薬液Ｍが吐出される。
【００６３】
ところで、前述したように薬液Ｍの吐出量を設定すべく、回転部６を一方向（右軸回転方向）に軸回転させた後、回し過ぎたので少し戻したい或いは元の位置まで戻したい場合がある。
【００６４】
この場合、回転部６を他方向（左軸回転方向）に軸回転させると、螺旋移動部11は他方向（左軸回転方向）に軸回転するとともに、螺旋移動部11及び第一筒状部12は先端側へ筒状本体部２から突出移動した分だけ螺旋移動する。この螺旋移動部11が筒状本体部２から突出移動した分だけ該筒状本体部２の長さ方向に移動することに伴い第一筒状部12も移動するが、他方向（左軸回転方向）に軸回転はしない。これは、第一ラチェット部14の係合が第三ラチェット部19の係合よりも弱い係合力に設定されており、第二筒状部材13が他方向（左軸回転方向）に軸回動しないからである。従って、この際、第一環状部16は他方向（左軸回転方向）に軸回転しない為、螺子軸部３ｂが軸回転することもなく先端側へ移動することはない（薬液Ｍが吐出することはない。）。
【００６５】
また、本実施例に係る薬液注入器Ｘの回転部６の一方向への軸回転を、任意の軸回転量に制限する軸回転制限部10が設けられている。
【００６６】
この軸回転制限部10は、回転部６に設けられる係止部７ａと、筒状本体部２に設けられる被係止部８ａとから成り、回転部６を回転位置Ｐ１から回転位置Ｐ２まで一方向へ回転させた際、被係止部８ａに前記係止部７ａが係止して回転部６の一方向への軸回転が制限されるように構成されている。
【００６７】
具体的には、筒状本体部２に設けられる第一部材７と、回転部６に設けられる第二部材８とを有する。
【００６８】
第一部材７は、図６に図示したように適宜な合成樹脂製の部材で形成した環状体であり、回転部６に被嵌連結される。
【００６９】
また、第一部材７の基端部には棒状の係止部７ａが突設されている。
【００７０】
この係止部７ａは、第二部材８を筒状本体部２（第二円筒体２”）の基端部に被嵌連結した状態で回転部６に被嵌連結した際、第二部材８の内周面に添設状態となる位置に設けられており、この第二部材８の内周面に添設状態で移動する第一部材７の係止部７ａの軸回転軌道上に第二部材８の被係止部８ａが設けられている。
【００７１】
具体的には、第一部材７と第二部材８は筒状本体部２の長さ方向に並設され、第一部材７に設けられる係止部７ａは第二部材８へ向けて突設される棒状体であり、回転部６を回転位置Ｐ１から回転位置Ｐ２まで一方向へ回転させた際、筒状本体部２の所定位置から基端側へ螺旋回転移動した係止部７ａが被係止部８ａに当接係止するように構成されている。
【００７２】
従って、回転部６を軸回転させて係止部７ａが被係止部８ａに係止することで、当該回転部６の軸回転が制限されることになる。
【００７３】
また、係止部７ａは、回転部６を一方向へ軸回転させた際、被係止部８ａと凹凸係止する形状（鉤形状）に設けられている。
【００７４】
第二部材８は、図６に図示したように適宜な合成樹脂製の部材で形成した筒状体であり、筒状本体部２（第二円筒体２”）の基端部に被嵌連結される。
【００７５】
また、第二部材８の内周面（上部開口部）には突棒状の被係止部８ａが設けられている。
【００７６】
この被係止部８ａは、回転部６を回転位置Ｐ１から回転位置Ｐ２まで一方向（右軸回転方向）へ軸回転させた際、前述した第一部材７に設けられた係止部７ａが係止して該回転部６の一方向（右軸回転方向）への軸回転を制限する。
【００７７】
また、被係止部８ａは、回転部６を一方向へ軸回転させた際、係止部７ａが凹凸係止する形状（鉤形状）に設けられている。
【００７８】
また、第二部材８の周面所定位置には孔８ｂが設けられており、筒状本体部２（第二円筒体２”）の基端部に被嵌連結した際、表示窓２ｃが隠蔽されないようにするための窓孔である。
【００７９】
また、本実施例では、３６０度未満の範囲で回転部６の軸回転が規制されることになる。
【００８０】
図10，11は丁度３６０度で回転部６の軸回転が規制される係止部７ａ及び被係止部８ａの形状を図示している。
【００８１】
また、図12〜17は第二部材８の別例を図示しており、被係止部８ａは、筒状本体２に設けられる第二部材８の周方向任意の位置に移動自在に設けられ、係止部７ａが係止する位置が可変自在に構成されている。
【００８２】
具体的には、図12に図示したように第二部材８の上端部には周方向に多数の螺子孔から成る取付部８ｃが並設されており、この取付部８ｃにイモネジから成る被係止部８ａが着脱自在に貫通状態で取り付けられる。
【００８３】
この被係止部８ａを螺着装着することで第二部材８の内面に突出する部分に係止部７ａが係止することになる（図13，14参照）。
【００８４】
また、図15に図示した第二部材８は、筒状本体部２（第二円筒体２”）の基端部に被嵌連結する内側筒状部８’と、この内側筒状部８’に間隔を介して被嵌状態となる外側筒状部”とで構成され、係止部７ａは、第二部材８（内側筒状部８’）を筒状本体部２（第二円筒体２”）の基端部に被嵌連結した状態で回転部６に被嵌連結した際、第二部材８（内側筒状部８’）の外周面に添設状態となる位置に設けられており、この第二部材８（内側筒状部８’）の外周面に添設状態で移動する第一部材７の係止部７ａの軸回転軌道上に第二部材８の被係止部８ａが設けられている。
【００８５】
また、第二部材８（内側筒状部８’）の上端部には周方向に多数の螺子孔から成る取付部８ｃが並設されており、この取付部８ｃにイモネジから成る被係止部８ａが着脱自在に貫通状態で取り付けられる。
【００８６】
この被係止部８ａを螺着装着することで第二部材８（内側筒状部８’）の外面に突出する部分に係止部７ａが係止することになる（図16，17参照）。
【００８７】
符号21は止着部材（イモネジ）である。
【００８８】
以上の構成から成る軸回転制限部10を構成する第一部材７及び第二部材８を薬液注入器Ｘに組み付ける際には、図７に図示したように薬液注入器Ｘの回転部６をメモリ11ｂが設定したい吐出量となる位置まで一方向（右軸回転方向）へ軸回転させ、この状態で第二部材８を筒状本体部２に設けるとともに、第一部材７を回転部６に設ける。この際、第一部材７の係止部７ａが第二部材８ａの被係止部８ａに軸回転方向に係止した状態で組み付ける（図８参照）。
【００８９】
その後、回転部６をメモリ11ｂが０となる位置まで他方向（左軸回転方向）へ軸回転させる。
【００９０】
本実施例は上述のように構成したから、注射針１からの薬液Ｍの吐出量は、筒状本体部２に軸回転自在に設けられる回転部６を一方向へ軸回転させることで設定される薬液押出し部３の可動量で決まり、また、回転部６の一方向への軸回転量は、軸回転制限部10により制限される。
【００９１】
この回転部６の軸回転が制限される位置を、予め薬液Ｍを吐出させたい量となる位置としておくことで、常に同じ位置で回転部６を停止させて注射針１から吐出させたい量の薬液Ｍが吐出されるよう設定することができ、確実に設定された吐出量の薬液Ｍを吐出させることができる。
【００９２】
よって、本実施例によれば、注射針１から吐出される薬液Ｍの吐出量が必要以上の吐出量に設定されることを防止することができ、しかも、簡易構造故にコスト安にして量産性に秀れることになる。
【００９３】
また、本実施例は、係止部７ａは回転部６に着脱自在に設けられ、被係止部８ａは筒状本体部２に着脱自在に設けられているから、任意の薬液注入器Ｘに付け替えて使用することができる。
【００９４】
また、本実施例は、係止部７ａと被係止部８ａとの係止は、両者の当接であるから、簡易且つ確実に回転部６の軸回転を制限することができる。
【実施例２】
【００９５】
本発明の具体的な実施例２について図12〜15に基づいて説明する。
【００９６】
本実施例は、係止部７ａには凹部７ｂが設けられ、回転部６を回転位置Ｐ３から一方向へ軸回転させた際、この凹部７ｂにより回転位置Ｐ４まで被係止部８ａに係止部７ａが係止せず回転部６の一方向への軸回転が制限されないように構成されており、即ち、回転部６は、３６０度よりも多く軸回転してその軸回転が規制される構成である（図13〜15参照）。
【００９７】
従って、係止部７ａ（凹部７ｂ）及び被係止部８ａの形状や大きさや位置を適宜設定することで、回転部６の軸回転を２周で規制したり３周で規制したりすることができる。
【００９８】
その余は実施例１と同様のものである。
【００９９】
尚、本発明は、実施例１，２に限られるものではなく、各構成要件の具体的構成は適宜設計し得るものである。
【符号の説明】
【０１００】
Ｍ  薬液
Ｐ１  回転位置
Ｐ２  回転位置
Ｐ３  回転位置
Ｐ４  回転位置
１  注射針
２  筒状本体部
２ａ  薬液収納部
３  薬液押出し部
４  押し込み操作部
６  回転体
７  第一部材
７ａ  係止部
７ｂ  凹部
８  第二部材
８ａ  被係止部
10  回転阻止部
11  螺旋移動部
【図１】
2018201860.tif 000003
【図２】
2018201860.tif 000004
【図３】
2018201860.tif 000005
【図４】
2018201860.tif 000006
【図５】
2018201860.tif 000007
【図６】
2018201860.tif 000008
【図７】
2018201860.tif 000009
【図８】
2018201860.tif 000010
【図９】
2018201860.tif 000011
【図１０】
2018201860.tif 000012
【図１１】
2018201860.tif 000013
【図１２】
2018201860.tif 000014
【図１３】
2018201860.tif 000015
【図１４】
2018201860.tif 000016
【図１５】
2018201860.tif 000017
【図１６】
2018201860.tif 000018
【図１７】
2018201860.tif 000019
【図１８】
2018201860.tif 000020
【図１９】
2018201860.tif 000021
【図２０】
2018201860.tif 000022
【図２１】
2018201860.tif 000023